(57)【特許請求の範囲】
【請求項１】
凹凸が交互に現れる方向に沿って並設した複数の波板を一対の支持部材の間に支持させる波板の取付構造であって、
前記支持部材の間に設けた板受部材と、
前記波板の室外に臨む表面において凹部となる部分に当該凹部の延在方向に沿い、かつその全長にわたる部位に配設した板押え部材と、
前記板押え部材を介して前記板受部材に螺合したネジ部材とを備え、
前記板押え部材には、前記ネジ部材を挟んで両側となる部分に長手方向に沿って延在する外方止水材が設けてあり、
前記複数の波板は、室外側に位置される波板の縁部が前記外方止水材の相互間に配置されていることを特徴とする波板の取付構造。
【請求項２】
上下方向に沿って延在した一対の支柱を前記支持部材として互いの間に前記板受部材を設け、
前記波板は、凹部となる部分が左右方向に沿って延在し、かつ上方に位置される波板が下方に位置される波板の室外側に重ね合わされた状態で上下に並設されていることを特徴とする請求項１に記載の波板の取付構造。
【請求項３】
前記支柱の上端部間にベース部材が配設されており、
前記ベース部材には、室外に臨む部位の上縁に室外に向けて突出した庇部が設けられているとともに、前記庇部よりも下方となる部位の左右方向に沿って全長にわたる部位に上縁止水材が配設されており、
最も上方に位置される波板は、上縁部において室内に臨む部分が前記庇部の下方域において前記上縁止水材に押圧されていることを特徴とする請求項２に記載の波板の取付構造。
【請求項４】
前記板受部材は、前記外方止水材に対応する部位に内方止水材を備え、前記内方止水材を介して前記波板に押圧されていることを特徴とする請求項２に記載の波板の取付構造。
【請求項５】
前記波板の左右両端となる部位にエッジ材を備えるとともに、前記エッジ材において前記波板の端面に対向する部位に端部止水材を備え、前記波板の端面が前記端部止水材に押圧されていることを特徴とする請求項２に記載の波板の取付構造。
【請求項６】
前記支柱において隣接する支柱に対向した表面に添材が配設されており、前記エッジ材が前記添材の室外に臨む表面に配設されていることを特徴とする請求項５に記載の波板の取付構造。
【発明の詳細な説明】
【技術分野】
【０００１】
本発明は、テラスやカーポート等の建築物の周囲壁として適用される波板の取付構造に関するものである。
【背景技術】
【０００２】
テラスやカーポート等の建築物には、支柱の相互間に波板を配設することによって前後壁や側壁等の周囲壁を構成するようにしたものが種々提供されている。波板は、凹凸が交互に連続するように構成されたパネルであり、例えば透光性を有した樹脂によって構成されている。この波板は、支柱の間に架け渡すように配設された板受部材にフックボルトを介して取り付けられている（例えば、特許文献１参照）。
【先行技術文献】
【特許文献】
【０００３】
【特許文献１】実開昭５８−１６７１０２号公報
【発明の概要】
【発明が解決しようとする課題】
【０００４】
ところで、テラスやカーポート等の建築物の周囲壁には、雨水等の室外側の水が室内側に浸入する事態を防止できることが望まれている。しかしながら、複数の波板を並設して周囲壁を構成した場合には、一方の波板の縁部が室外に露出するため、他方の波板との隙間から室外側の水が室内側に浸入するおそれがある。こうした状況は、波板の重ね代を大きく設定することで改善を図ることが可能である。しかしながら、波板の重ね代を大きく設定した場合には、重ねた幅の分だけ無駄が生じ、製造コストを増大させる要因となるのは否めない。しかも、透光性を有した波板を適用した場合には、波板を重ねた部分だけ透光性が低下するため、周囲壁に大きな幅の薄暗い部分が構成されることになり、外観品質上の問題を生じるおそれもある。
【０００５】
本発明は、上記実情に鑑みて、外観品質を損なうことなく、波板を互いに重ね合わせた部分から室内側へ水が浸入するのをより安価に防止することのできる波板の取付構造を提供することを目的とする。
【課題を解決するための手段】
【０００６】
上記目的を達成するため、本発明に係る波板の取付構造は、凹凸が交互に現れる方向に沿って並設した複数の波板を一対の支持部材の間に支持させる波板の取付構造であって、前記支持部材の間に設けた板受部材と、前記波板の室外に臨む表面において凹部となる部分に当該凹部の延在方向に沿い、かつその全長にわたる部位に配設した板押え部材と、前記板押え部材を介して前記板受部材に螺合したネジ部材とを備え、前記板押え部材には、前記ネジ部材を挟んで両側となる部分に長手方向に沿って延在する外方止水材が設けてあり、前記複数の波板は、室外側に位置される波板の縁部が前記外方止水材の相互間に配置されていることを特徴とする。
【０００７】
この発明によれば、波板においてネジ部材が通過する孔や室外側に位置される波板の縁部が外方止水材の相互間に配置されているため、波板の重ね代を小さく設定した場合にも互いに重ね合わせた部分から水が室内側に浸入する事態を防止することができ、製造コストが増大したり、外観品質が損なわれるおそれがない。
【０００８】
また本発明は、上述した波板の取付構造において、上下方向に沿って延在した一対の支柱を前記支持部材として互いの間に前記板受部材を設け、前記波板は、凹部となる部分が左右方向に沿って延在し、かつ上方に位置される波板が下方に位置される波板の室外側に重ね合わされた状態で上下に並設されていることを特徴とする。
【０００９】
この発明によれば、波板の凹部となる部分に沿って板受部材及び板押え部材が配置され、これら板受部材と板押え部材との間に波板の凹部となる部分が支持されるため、透光性を有した波板を適用した場合にも室外側から板押え部材が透けて見えてしまうことがない。
【００１０】
また本発明は、上述した波板の取付構造において、前記支柱の上端部間にベース部材が配設されており、前記ベース部材には、室外に臨む部位の上縁に室外に向けて突出した庇部が設けられているとともに、前記庇部よりも下方となる部位の左右方向に沿って全長にわたる部位に上縁止水材が配設されており、最も上方に位置される波板は、上縁部において室内に臨む部分が前記庇部の下方域において前記上縁止水材に押圧されていることを特徴とする。
【００１１】
この発明によれば、最上位に位置する波板の上縁がベース部材の庇によって覆われ、かつ上縁部の室内に臨む部分が上縁止水材に押圧されるため、波板の上縁から室内側に水が浸入するおそれがない。
【００１２】
また本発明は、上述した波板の取付構造において、前記板受部材は、前記外方止水材に対応する部位に内方止水材を備え、前記内方止水材を介して前記波板に押圧されていることを特徴とする。
【００１３】
この発明によれば、波板が外方止水材及び内方止水材によって挟持されるため、波板が熱収縮した場合にも軋み音が発生することはなく、風を受けて振動した場合にもばたつき音が発生することがない。
【００１４】
また本発明は、上述した波板の取付構造において、前記波板の左右両端となる部位にエッジ材を備えるとともに、前記エッジ材において前記波板の端面に対向する部位に端部止水材を備え、前記波板の端面が前記端部止水材に押圧されていることを特徴とする。
【００１５】
この発明によれば、波板の端面が端部止水材に押圧された状態でエッジ材に覆われるため、波板の端部から室内側に水が浸入するおそれがない。
【００１６】
また本発明は、上述した波板の取付構造において、前記支柱において隣接する支柱に対向した表面に添材が配設されており、前記エッジ材が前記添材の室外に臨む表面に配設されていることを特徴とする。
【００１７】
この発明によれば、支柱の室外に臨む表面から突出させることなく波板を配設することが可能となる。
【発明の効果】
【００１８】
本発明によれば、波板においてネジ部材が通過する孔や室外側に位置される波板の縁部が外方止水材の相互間に配置されているため、波板の重ね代を小さく設定した場合にも互いに重ね合わせた部分から水が室内側に浸入する事態を防止することができ、製造コストが増大したり、外観品質が損なわれるおそれがない。
【図面の簡単な説明】
【００１９】
【図１】図１は、本発明の実施の形態である波板の取付構造を適用した建築物の外観斜視図である。
【図２】図２は、図１に示した建築物の要部正面図である。
【図３】図３は、図１に示した建築物の要部側面図である。
【図４】図４は、図１に示した建築物の要部断面正面図である。
【図５】図５は、図１に示した建築物の要部断面平面図である。
【図６】図６は、図１に示した建築物の要部断面側面図である。
【図７】図７は、図６に示した建築物の部分拡大図である。
【図８】図８は、図６に示した建築物の部分拡大図である。
【図９】図９は、図６に示した建築物の部分拡大図である。
【図１０】図１０は、図１に示した建築物に適用する波板、板受部材及び板押え部材を示す分解側面図である。
【発明を実施するための形態】
【００２０】
以下、添付図面を参照しながら本発明に係る波板の取付構造の好適な実施の形態について詳細に説明する。
図１〜図９は、本発明の実施の形態である波板の取付構造を適用した建築物を示したものである。ここで例示する建築物は、家屋（図示せず）に隣接したテラスの周囲を周囲壁１によって取り囲むとともに、テラスの上面部分に屋根２を設けることによって構成したものである。
【００２１】
周囲壁１は、基礎面から立設した複数の支柱１０の間にそれぞれ波板２０を配設することによって構成してある。本実施の形態では、正面及び２つの側面にそれぞれ周囲壁１を備えた建築物を例示している。なお、建築物の側面とは家屋の外壁面からほぼ直角に突出するように設けた部分とし、正面とは２つの側壁の突出端部間に設けた部分としている。屋根２は、正面側が傾斜下端となるように設けてある。
【００２２】
波板２０は、湾曲状の凹部２０ａと凸部２０ｂとが交互に連続するように構成した薄板のプレート状を成すものである。波板２０の凹凸２０ａ，２０ｂは、同一の形状及び同一の寸法に形成してある。本実施の形態では、耐衝撃性及び耐候性を有し、かつ透光性を有した樹脂によって波板２０を成形するようにしている。適用する波板２０は、図１０に示すように、一方の縁部が凹部２０ａで、他方の縁部が凸部２０ｂとなるように定形のサイズに構成されたもので、構成すべき周囲壁１の大きさに応じて複数並設するようにしている。本実施の形態では、上下に３枚の波板２０を並設するようにしている。波板２０を配設する向きは特に限定されないが、本実施の形態では凹凸２０ａ，２０ｂが上下に沿って交互に現れるように、換言すればそれぞれの凹部２０ａや凸部２０ｂが左右方向に沿って延在するように波板２０を配設するようにしている。特に本実施の形態では、波板２０の下方の縁部が室外に臨む表面において凹部２０ａとなるように、凹凸２０ａ，２０ｂの順番についても設定するようにしている。複数の波板２０を並設する場合には、凹凸２０ａ，２０ｂが交互に現れる方向に沿って、つまり互いに上下の位置となるように配置している。
【００２３】
支柱１０は、アルミニウム合金等の金属によって成形した押し出し形材であり、矩形の筒状に構成してある。本実施の形態では、家屋に近接した部分の両側に設けた２つ支柱（以下、独立柱１０Ａという）と、家屋から離隔した部分の両側に設けた２つの支柱（以下、隅柱１０Ｂという）とによってテラスを囲繞する矩形の領域を構成し、さらに独立柱１０Ａと隅柱１０Ｂとの間及び隅柱１０Ｂの相互間にそれぞれ支柱（以下、中柱１０Ｃといい、特に両者を区別する場合に前者を側方中柱１０Ｃａ、後者を前方中柱１０Ｃｂという）を設けるようにしている。独立柱１０Ａは、図５に示すように、外形寸法及び肉厚が隅柱１０Ｂ及び中柱１０Ｃよりも大きく構成したものである。正面においては、室外に臨む表面１０Ｂ１，１０Ｃｂ１が同一の平面上に位置するように、隅柱１０Ｂ及び前方中柱１０Ｃｂが配設してある。これに対して側面においては、隅柱１０Ｂ及び側方中柱１０Ｃａの室外に臨む表面１０Ｂ２，１０Ｃａ２が同一の平面上に位置するものの、外形寸法の大きい独立柱１０Ａは室外に臨む表面１０Ａ２が隅柱１０Ｂ及び側方中柱１０Ｃａよりも室外側に突出した位置にある。
【００２４】
独立柱１０Ａにおいて側方中柱１０Ｃａに対向する表面１０Ａ１及び隅柱１０Ｂにおいて側方中柱１０Ｃａに対向する表面１０Ｂ３には、それぞれ添材１０Ｄが配設してある。添材１０Ｄは、独立柱１０Ａよりも外形寸法の小さい矩形の筒状を成すもので、室外に臨む表面１０Ｄ２が隅柱１０Ｂ及び側方中柱１０Ｃａの室外に臨む表面１０Ｂ２，１０Ｃａ２と同一の平面上に位置した状態で独立柱１０Ａ及び隅柱１０Ｂに固定してある。以下、建築物の正面においては隅柱１０Ｂ及び前方中柱１０Ｃｂをそれぞれ支持部材とし、側面においては添材１０Ｄ及び側方中柱１０Ｃａをそれぞれ支持部材として、それぞれの面に波板２０を取り付けるための構造について説明を行う。
【００２５】
建築物の支持部材１０Ｂ，１０Ｃ，１０Ｄには、相互間に板受部材３０及びベース部材４０が設けてあるとともに、室外に臨む表面１０Ｂ１，１０Ｃａ２，１０Ｃｂ１，１０Ｄ２にエッジ材５０が設けてある。
【００２６】
板受部材３０は、アルミニウム合金等の金属によって成形した押し出し形材であり、隅柱１０Ｂと前方中柱１０Ｃｂとの間及び添材１０Ｄと側方中柱１０Ｃａとの間にそれぞれ架け渡すように配設してある。図７〜図１０に示すように、本実施の形態では、略矩形の筒状に構成した共通の板受部材３０を適用している。板受部材３０の短辺は、波板２０の凹部２０ａに収容することのできる寸法に設定してある。板受部材３０の一方の短辺には、１本のネジ螺合溝３１及び２本の内方止水材３２がそれぞれ板受部材３０の長手方向に沿って設けてある。ネジ螺合溝３１は、板受部材３０の短辺において中央となる部分に設けた一連の凹溝である。このネジ螺合溝３１には、任意の位置にネジ部材Ｓを螺合することが可能である。内方止水材３２は、弾性材によって成形した中空部を有するもので、中空部が突出する状態でネジ螺合溝３１の両側となる部分に装着してある。この板受部材３０は、ネジ螺合溝３１及び内方止水材３２がそれぞれ室外に向いた姿勢で、両端に設けたフランジプレート３５を介して支持部材１０Ｂ，１０Ｃ，１０Ｄの間に架け渡すようにネジ３６で取り付けてある。
【００２７】
フランジプレート３５は、板受部材３０の上下から突出する大きさを有した矩形のプレートであり、板受部材３０のビスホール３３にネジを螺合することによって予め板受部材３０の両端部に固定してある。板受部材３０を設ける位置は、波板２０の上下両縁部及び中間部に対応する３位置であり、いずれも波板２０の室外に臨む表面において凹部２０ａとなる位置である。具体的には、波板２０の下方に位置する縁部、波板２０の最も上方に位置する凹部２０ａ及びこれらの中間となる凹部２０ａに対応する部位にそれぞれ板受部材３０が設けてある。図７中の符号３５ａは、フランジプレート３５に設けた水抜き孔である。
【００２８】
ベース部材４０は、アルミニウム合金等の金属によって成形した押し出し形材であり、隅柱１０Ｂの相互間及び添材１０Ｄの相互間にわたる長さを有している。ベース部材４０には、取付基部４１、装着部４２及び庇部４３が設けてある。取付基部４１は、平板状を成す部分である。装着部４２は、取付基部４１の上縁部から屈曲して突出した後、さらに上方に屈曲した部分の室外に臨む部位に設けた溝状の凹部であり、上縁止水材４４を保持している。上縁止水材４４は、内方止水材３２と同様、弾性材によって成形した中空部を有するもので、中空部が突出する状態で装着部４２に装着してある。庇部４３は、装着部４２よりも上方となる位置から屈曲して突出した後、屈曲端部が下方に向けてわずかに屈曲した部分である。このベース部材４０は、上縁止水材４４が最も上方に位置される波板２０において上方に位置する縁部に対応した位置となる状態で取付基部４１を介して支持部材１０Ｂ，１０Ｄの室外に臨む表面１０Ｂ１，１０Ｄ２にネジ４５を螺合することによって支持部材１０Ｂ，１０Ｄの間に架け渡すように取り付けてある。
【００２９】
図２、図３、図６に示すように、建築物の正面においては、ベース部材４０の上端部に前枠カバー６０の下端部が連結してある。前枠カバー６０は、隅柱１０Ｂの上端部間に架設した前枠６１と、ベース部材４０との間を覆い隠すものである。この前枠カバー６０と前枠６１との間には、集水器６２が設けてある。集水器６２は、前枠６１の樋部６１ａから流下した雨水を受けるためのもので、樋部６１ａの一方の端部に配設してある。この集水器６２には、蛇腹管６３を介して縦樋６４が接続してある。蛇腹管６３は、集水器６２から下方に延在した後、建築物の側面に回り込むように延在している。縦樋６４は、側面において隅柱１０Ｂの室外に臨む表面１０Ｂ２に沿って延在したもので、縦樋カバー６５の内部に収容してある。
【００３０】
エッジ材５０は、アルミニウム合金等の金属によって成形した押し出し形材であり、図２、図３、図５に示すように、支持部材１０Ｂ，１０Ｃ，１０Ｄの室内に臨む表面１０Ｂ１，１０Ｃａ２，１０Ｃｂ１，１０Ｄ２に取り付けてある。エッジ材５０は、平板状を成す基板部５１の一方の表面に一対の脚板部５２を有するとともに、基板部５１の他方の表面に一対の縦カバー板部５３を有したものである。脚板部５２は、基板部５１から略直角方向に突出した平板状部分であり、互いの間にネジ５４の軸部５４ａを挿通することのできる隙間が確保してある。基板部５１からの脚板部５２の突出寸法は、波板２０の凹部２０ａから凸部２０ｂまでの寸法ｄ（図１０参照）よりもわずかに大きく設定してある。縦カバー板部５３は、基板部５１から略直角方向に突出した平板状部分であり、互いの間にネジ５４の頭部５４ｂを配置することのできる隙間が確保してある。
【００３１】
このエッジ材５０は、縦カバー板部５３の相互間から基板部５１を介して支持部材１０Ｂ，１０Ｃ，１０Ｄにネジ５４を螺合することにより、上下方向に沿う状態で支持部材１０Ｂ，１０Ｃ，１０Ｄに取り付けてある。エッジ材５０の相互間隔は、波板２０の左右に沿った幅寸法よりもわずかに大きく、基板部５１の対向する端面の間の距離は、波板２０の左右に沿った幅寸法よりもわずかに小さい。支持部材１０Ｂ，１０Ｃ，１０Ｄに取り付けたエッジ材５０は、基板部５１と支持部材１０Ｂ，１０Ｃ，１０Ｄとの間に脚板部５２の突出寸法に対応した隙間を構成しており、この隙間に端部止水材５５を保持している。端部止水材５５は、例えばスポンジ等の吸水性を有した多孔部材であり、支持部材１０Ｂ，１０Ｃ，１０Ｄとエッジ材５０との間の互いに対向する部分に配設してある。
【００３２】
上述した波板２０は、左右両側縁部を支持部材１０Ｂ，１０Ｃ，１０Ｄとエッジ材５０の基板部５１との間に挿入して端部止水材５５に押圧させ、この状態から、図１０に示すように、板押え部材７０を介して板受部材３０のネジ螺合溝３１にネジ部材Ｓを螺合することによって取り付けてある。板押え部材７０の両端部は、それぞれ波板２０と共に適宜撓めながらエッジ材５０の基板部５１と支持部材１０Ｂ，１０Ｃ，１０Ｄとの間に挿入し、端部止水材５５に押圧させるようにしている。
【００３３】
板押え部材７０は、アルミニウム合金等の金属によって成形した押し出し形材であり、平板状を成す主板部７１の一方の表面に一対の横カバー板部７２を有するとともに、他方の表面に２本の外方止水材７３を有したものである。横カバー板部７２は、主板部７１から略直角方向に突出した平板状部分であり、互いの間にネジ部材Ｓの頭部ｈを配置することのできる隙間が確保してある。外方止水材７３は、弾性材によって成形した中空部を有するもので、中空部が突出する状態で主板部７１の両側縁部に装着してある。
【００３４】
波板２０には、図７〜図１０に示すように、上縁部及び中間部の板受部材３０に対応する部位にネジ挿通孔２１を形成し、ネジ挿通孔２１を介して板受部材３０のネジ螺合溝３１にネジ部材Ｓを螺合する。一方、波板２０の下縁部については、予め板受部材３０のネジ螺合溝３１に螺合させたネジ部材Ｓの軸部に当接させるようにしている。
【００３５】
取付手順としては、波板２０の下縁部をネジ部材Ｓに当接させた状態で上縁部及び中間部にネジ部材Ｓを螺合すれば良い。従って、ネジ部材Ｓを螺合する際に両手で波板２０を押えておく必要がなく、単独作業であっても波板２０の取り付けを容易に行うことが可能となる。波板２０を上下に並設する場合には、上方の波板２０が下方の波板２０の室外側となるように配置し、かつ上方の波板２０の下縁を板押え部材７０の２本の外方止水材７３の相互間に位置させる。
【００３６】
上記のようにして取り付けた波板２０は、ネジ部材Ｓが通過するネジ挿通孔２１及び室外側に配置される波板２０の下縁部がいずれも板押え部材７０に設けた外方止水材７３の相互間に配置されることになる。板押え部材７０は、その両端部がエッジ材５０と支持部材１０Ｂ，１０Ｃ，１０Ｄとの間に挿入され、かつ端部止水材５５に押圧されている。従って、波板２０を互いに重ね合わせた部分から室内側に雨水等の水が浸入する事態を招来するおそれがない。これにより、波板２０の重ね代を小さく設定することにより、製造コストを抑えることができるばかりか、重ね合わせによって透光性が低下した部分を最小限とすることができ、外観品質上も有利となる。
【００３７】
しかも、波板２０の左右両端縁は、上述したように、板押え部材７０の端部と共に支持部材１０Ｂ，１０Ｃ，１０Ｄとエッジ材５０との間に収容され、かつ端部止水材５５に押圧された状態にある。最も上方に位置する波板２０については、その上端がベース部材４０の庇部４３によって覆われるとともに、室内に臨む部分が上縁止水材４４に押圧された状態にある。従って、波板２０の周囲から室内側に雨水等の水が浸入する事態についても確実に防止することができるようになる。
【００３８】
さらに、波板２０は、外方止水材７３及び内方止水材３２によって挟持された状態となり、板受部材３０や板押え部材７０と直接接触することがない。従って、日射等の影響によって波板２０が熱収縮した場合にも、軋み音が発生することはなく、また、風を受けて波板２０が振動した場合にもばたつき音が発生することがない。
【００３９】
なお、上述した実施の形態では、家屋に隣接したテラスの周囲に周囲壁１を備えた建築物に適用する波板の取付構造を例示したが、カーポート等、その他の建築物の周囲壁を構成する場合にも適用することが可能である。因に、カーポートに適用する場合には、駐車スペースとなる「庫内」が実施の形態及び図面で記載した「室内」に対応し、「庫外」が「室外」に対応する。また、上述した実施の形態では、凹凸２０ａ，２０ｂが上下に沿って交互に現れる状態で波板２０を配設するようにしているが、本発明は、凹凸が左右に沿って交互に現れるように波板を配設するようにしても構わない。さらに、上述した実施の形態では、波板２０の凹部２０ａとなる部分に沿って板受部材３０及び板押え部材７０を配置するようにしているため、透光性を有した波板２０を適用した場合にも室外側から板押え部材７０が透けて見えてしまうことがない。しかしながら、板受部材は必ずしも波板の凹部に沿って配設する必要はない。またさらに、上述した実施の形態では、板受部材３０に内方止水材３２を設け、内方止水材３２を介して波板２０に接触するようにしているが、必ずしも板受部材が内方止水材を備えている必要はない。
【符号の説明】
【００４０】
１０  支柱、１０Ｄ  添材、２０  波板、２０ａ  凹部、２０ｂ  凸部、３０  板受部材、３２  内方止水材、４０  ベース部材、４３  庇部、４４  上縁止水材、５０  エッジ材、５５  端部止水材、７０  板押え部材、７３  外方止水材、Ｓ  ネジ部材
【図１】
0006577903.tif 000002
【図２】
0006577903.tif 000003
【図３】
0006577903.tif 000004
【図４】
0006577903.tif 000005
【図５】
0006577903.tif 000006
【図６】
0006577903.tif 000007
【図７】
0006577903.tif 000008
【図８】
0006577903.tif 000009
【図９】
0006577903.tif 000010
【図１０】
0006577903.tif 000011